(57)【要約】      （修正有）【課題】使用土壌量を少量にし、ビルディング屋上の広い面積を緑化する。【解決手段】底部が水溜部となり、一側面に排水口１ａが設けられた植木鉢１と、植木鉢底部の水位が一定の高さとなったときにフロート８の浮力によって給水管６の水出口が閉塞される、植木鉢内部に収容された定水位自動給水装置５と、植木鉢１の中又は周囲に立てられた複数の支柱２と、支柱２の上部に取り付けられた棚３と、植木鉢１に植えられ棚３に這わせる蔓性植物４とよりなっている。定水位自動給水装置５の下部側面に設けた孔５ａと植木鉢側面の排水口１ａとの間に多孔管１１が設けられている。【選択図】図２
0003100862.tif 000002
【実用新案登録請求の範囲】
【請求項１】
底部が水溜部となり、一側面に排水口が設けられた植木鉢と、植木鉢底部の水位が一定の高さとなったときにフロートの浮力によって給水管の水出口が閉塞される、植木鉢内部に収容された定水位自動給水装置と、植木鉢の中又は周囲に立てられた複数の支柱と、支柱の上部に取り付けられた棚と、植木鉢に植えられ棚に這わせる蔓性植物とよりなる棚式屋上緑化設備。
【請求項２】
定水位自動給水装置の下部側面に設けた孔と植木鉢の側面の排水口との間に、全周に多数の小孔が穿設された多孔管が設けられている請求項１に記載の棚式屋上緑化設備。
【考案の詳細な説明】
【技術分野】
【０００１】
本考案は、ビルディング等の屋上に植物を植える屋上緑化設備に関するものである。
【背景技術】
【０００２】
地球温暖化がいわれている昨今、大都会の中心部の気温が郊外に比べて数度高くなる、いわゆるヒートアイランド現象が問題となっている。そして、それを防止するための一手段として、ビルディングの屋上に植物を植えることが提案されている。その緑化設備として、軽量土壌を用いるものや、砂利を薄く敷き詰めセダム等無灌水式のもの、ビルディングの耐久強度を高め、培養土を厚く入れるものが知られている。
【０００３】
上記の軽量土壌を用いる屋上緑化設備は、樹木を倒れないように植えつけるには、かなりの厚さの土壌が必要である。そのため、土壌単価が高いこともあり、かなり高価なものとなる。また、軽量土壌は風で吹き飛ばされやすく、ビルディング周囲の環境悪化の原因にもなる。
【０００４】
セダムを用いる屋上緑化設備は、軽量、且つ、安価ではあるが、屋上環境の空気を冷却する能力がない。
【０００５】
土を厚く入れる屋上緑化設備は、単位面積当たりの価格が高くなり、しかも、建物に荷重として大きな負担がかかる。そのため、新築ビルディングにしか施工できないし、そのビルディングの建築費を割高なもとすることになる。また、耐久構造にも限度があり、緑化設備の設置面積をそれほど大きくすることはできない。
【考案の開示】
【考案が解決しようとする課題】
【０００６】
屋上緑化設備を施工する際に、次の各要求を満たすようにする。即ち、耐久構造を施していない既存のビルディングの屋上の全面を緑化できるほど軽く、低価格で、しかも屋上環境の空気を冷却する能力が高く、機器のメンテナンスや掃除のため、憩いのため、屋上全体を人がを歩けるようにする。
【課題を解決するための手段】
【０００７】
本考案は、成長が速く、水分摂取量が日に日に変化し、人為的給水管理が困難な蔓性植物と、その植物の給水管理に欠かせない定水位自動給水装置とを採用することにより、比較的に小さな、従って、土壌の量が少なくてすむ植木鉢を用いているにも係わらず、ビルディングの屋上面積の大きな部分を分覆うことを可能とすることを特徴とする。
【考案の効果】
【０００８】
本考案の棚式屋上緑化設備は、ビルディングの屋上面積のほんの一部を占める大きさの、土壌量の少ない植木鉢で十分であるので、非常に軽量であり、既存のビルディングでも無理な荷重負担となることはない。また、植木鉢は、蔓性植物の本数分の少ない数だけあればよく、低価格で広大な面積の緑化を実現することができる。その上、水分摂取量が日に日に変化するために人為的給水管理が困難な蔓性植物を植えているにも係わらず、植木鉢内の培養土をほぼ一定の湿り気に保った状態で自動的に給水することができる。更に、人が通れる高さに棚を設置できるので、空調機器等の上方も緑化することができ、空調機器等のメンテナンスや周囲の掃除も容易である。屋上面の再防水工事に際しては、植木鉢の撤去移動が容易であり、再施工も低価格で行うことができる。また、棚の下に椅子やテーブルを置き、憩いの場を広くとることができる。また、棚を垂直に設置することにより壁面の緑化も可能である。
【０００９】
定水位自動給水装置の下部側面の孔と植木鉢側面の排水口との間に多孔管を設ける場合は、植木鉢の排水口からの排水が容易となり、且つ、植木鉢中の土壌への空気供給が盛んとなるので、土壌中の酸欠を防ぐことができ、植木鉢が限られた大きさであるにも係わらず、植物の成長は極めて良好である。
【考案を実施するための最良の形態】
【００１０】
使用土壌量を少量にし、しかもビルディングの広い面積を緑化するという目的を、定水位自動給水装置と蔓性植物を採用し、その蔓性植物を支柱をたてた棚に這わせることにより実現した。
【実施例１】
【００１１】
図１は、本考案の棚式屋上緑化設備の１実施例の斜視図であって、１は植木鉢、２は支柱、３は棚、４は蔓性植物である。図２は、本考案の屋上緑化設備を構成する植木鉢部分の縦断面図である。
【００１２】
本考案の棚式屋上緑化設備は、植木鉢１と、植木鉢１の内部に収容される定水位自動給水装置５と、複数の支柱２と、支柱２の上部に取り付けられる棚３と、植木鉢１に植えられ棚３に這わせる蔓性植物４とより構成されている。
【００１３】
植木鉢１は、底部が水溜部となる有底の円筒状又は箱状等であり、形状は特に限定されない。その定水位自動給水装置５の入れられる部分の反対側の側面には、排水口１ａが開けられている。植木鉢１の素材は合成樹脂、陶磁器、金属等の水が滲み出ないものであれば何でもよい。この植木鉢１は、１本の蔓性植物４を植えつけるに足る大きさで十分である。即ち、ビルディングの屋上の大きな部分を覆うほどの大きさは必要なく、比較的に小さなものでよい。従って、使用する土壌の量が少なくてすむ。植木鉢１の設置場所は、ビルディングの屋上の四隅や屋上面積に応じた要所要所である。図１では６個置かれている。
【００１４】
支柱２は、植木鉢１の中又は周囲に立てられる。この支柱２は、棚３を支えると共に、植木鉢１に植えられる蔓性植物４を上方の棚３に導くためのものであり、本数は、蔓性植物４の本数と同数あれば十分であるが、這わせる植物の重さを考慮して、それ以上に増やすこともできる。
【００１５】
棚３は、支柱２の上部（上端）に金属や木材等よりなる梁を縦、横適宜に組み立てたものや、支柱２の上端に金属や繊維等よりなる強度と耐久性をもつ網を外れないように取り付けたもの等が用いられる。
【００１６】
蔓性植物４は、植木鉢１に植え、支柱２から棚３に這わせる。その種類として、藤、蔦、ヘチマ、キュウイ、葡萄、アケビ等があげられる。これらの蔓性植物４は成長が速いので、本数が少ないにも係わらず、短時間（期間）でビルディングの屋上面積の大きな部を分覆うことができる。
【００１７】
定水位自動給水装置５は、排水口１ａの設けられている側面と反対側の側面に寄った植木鉢１の内部に収容される。その構造は、水道又は貯水槽に直結の給水管６が接続されたノズル７と、フロート８と、フロート８の上に突設された針９と、ノズル７の下側に設けられ、針９の上部を案内するパイプ１０とよりなり、植木鉢１の底部の水位１４が一定の高さとなったときにフロート８の浮力によってノズル７の出水口が閉塞されるものである。このような定水位自動給水装置５を採用することにより、電力や人手を全く必要とすることなく、植木鉢１に入れられた培養土１２に自動的に給水することができ、培養土１２の湿り気を常にほぼ一定に保つことができる。従って、植物の最適な発根状態が得られ、成育が促進され、根腐れ、徒長も生じないし、水やりの手間がかからず、熟練を必要としないし、水やりによる肥料の流失もない。また、雨水等の余分な水は、植木鉢１の側面の排水口１ａから排出される。
【００１８】
なお、図示の定水位自動給水装置５は、ほんの―例に過ぎず、フロートの浮力によって給水管の水出口を塞ぐ形式のものであれば、どのような形式のものでもよい。例えば、旧式水洗トイレに用いられていた、フロートの浮力を梃子を介してボールタップ (球状バルブ) に伝え、給水管６の出水口を閉塞するタイプ等がある。
【００１９】
植木鉢１の底部には、定水位自動給水装置５の下部側面に設けた孔５ａと、植木鉢１の側面の排水口１ａとを結ぶ多孔管１１が設けられている。多孔管１１は、全周に多数の小孔のあるものである。この多孔管１１を配したことにより、植木鉢１の底部の水位１４は、多孔管１１の下半分に保たれ、上半分は排水口１ａに連通する空洞となる。そのため、排水口１ａからの排水を容易にするばかりでなく、多孔管１１の小孔１１ａを通じ、植木鉢１の中の培養土１２に新鮮な空気を供給することができ、土壌中の酸欠を防ぐことができる。従って、植木鉢１が限られた大きさであるにも係わらず、植物の成長は極めて良好である。
【００２０】
植木鉢１のなかには、培養土１２が入れられるが、その前に、最底部に、多孔管１１を埋める程度の深さに吸水性のある木炭等１３が入れられる。
【００２１】
このように構成された棚式屋上緑化設備は、植木鉢１の中の木炭等１３の層上に入れられた培養土１２がその質により一定の湿り気を保つが、植物が根から水分を取り入れ、培養土１２の表面から水分が蒸発すると、その分だけ水位１４が下がる。水位１４が低下すると、フロート８が下がってノズル７の出口が開き、自動的に給水される。いってみれば、植物自身が給水量を調整している。蔓性植物４は成長が速く、水分摂取量が日に日に変わるので、人間が主観的に水量を調整することは困難であり、不向きである。蔓性植物４に給水するには、このような定水位自動給水装置５が最適である。
【産業上の利用可能性】
【００２２】
本考案の棚式屋上緑化設備は、大都会のビルディングはもとより、いかなる地域のビルディングの屋上にも施工することができる。また、屋上を平面的に緑化できることはもちろん、棚を垂直に設置することにより壁面を緑化することも可能である。
【図面の簡単な説明】
【００２３】
【図１】本考案の棚式屋上緑化設備の１実施例の斜視図である。
【図２】本考案の棚式屋上緑化設備を構成する植木鉢部分の縦断面図である。
【符号の説明】
【００２４】
１      植木鉢
１ａ    排水口
２      支柱
３      棚
４      蔓性植物
５      定水位自動給水装置
６      給水管
７      ノズル
８      フロート
１１    多孔管
１１ａ  小孔
１２    培養土
１４    水位
【図１】
0003100862.tif 000003
【図２】
0003100862.tif 000004